(57)【要約】【課題】使用済みのティッシュペーパーを捨てる際、ゴミ箱は部屋の目立たない片隅や物陰に置かれている為、いちいち立ってその場所へ捨てに行ったり、投げ捨てた場合は上手にゴミ箱に入らず、また拾いに行くというような煩わしさがあった。【解決手段】本案は、ゴミ箱の蓋をティッシュボックスを載置した受板にすることで、使用済みのティッシュはその場で捨てる事ができ、また形状もコンパクトになるので、食卓の上や居間のテーブルの上に置いて利用することができる。【選択図】図２
2017061386.tif 000002
【特許請求の範囲】
【請求項１】
ティッシュボックス３を載置する受板Ｂ２０と、上方部が開放され前記受板Ｂ２０を載置可能な突出部分７を設けたゴミ箱Ａ１０からなり、前記ゴミ箱Ａ１０は、長辺方向Ａのいずれか一方の側面６の開放側の辺に、所定の切り欠き部６ａを設けるとともに、短辺方向Ｂの両側面９の内側面に前記受板Ｂ２０を載置する各々前記突出部分７を設け、前記受板Ｂ２０は、前記ゴミ箱Ａ１０の開放面の平面積より略狭い平面積を有した受板４と前記受板４の長辺部に略垂直に側板８を設けており、前記受板Ｂ２０が前記突出部分７の一端７aを支点として前記ゴミ箱Ａ１０内部方向に回動し、前記受板４の側板８が前記ゴミ箱Ａ１０の切り欠き部上部６bに当接し摺動することで所定の角度で回動を停止する、ことを特徴とするティッシュボックス受板付ゴミ箱。
【発明の詳細な説明】
【技術分野】
【０００１】
この発明は、上部が開放する箱状で、その開閉する面にティッシュボックスを載置できる受板を備えたゴミ箱に関する。
【背景技術】
【０００２】
安価で便利なティッシュボックスは身近に側に置いて頻繁に使われているが、一方、使用済みのペーパーを捨てるゴミ箱はスペースが必要なこともあり、部屋の片隅や隠れた場所に置かれていて、ゴミを捨てるのが不便である。
【０００３】
これに対して、ティッシュボックスを収納するケースとゴミ箱とを一体に形成した、ティッシュボックス収納部付きゴミ箱を提供するものとして、特許文献１、特許文献２、特許文献３、特許文献４がある。本願出願人は、特許文献４にティッシュボックス支持体付きゴミ箱を提案している。
【先行技術文献】
【特許文献】
【０００４】
【特許文献１】特開２００８−６８９１２
【特許文献２】実用新案登録第３１８７５０１号
【特許文献３】実用新案登録第３１２４８８０号
【特許文献４】特開２０１２−１４８９０１
【発明の概要】
【発明が解決しようとする課題】
【０００５】
しかしながら、上記特許文献に記載されているものは、特許文献１ではゴミ投入用扉の開閉に水平軸を用い、特許文献２ではゴミ箱の蓋を回転させてゴミ投入口を現す為に回転軸を用い、特許文献３ではゴミ投入口を現す為に本体上部をスライドさせる機構を設けている等、それぞれ構造が複雑になり製作費が多額になる。特許文献４では支持体が特定サイズのティッシュボックスを緩嵌する構造である為に、市販の多種類のティッシュボックスのサイズには対応できない。本発明は、先行技術に開示されている軸構造等は設けずに、ゴミ箱上方部で開閉するティッシュボックスを載置した受板を下方から支持する突出部分の支点で回動し傾斜させてゴミ投入口を現す構造にし、また、多種類のサイズのティッシュボックスを載置できるように受板の外周に側板を設け上方を解放した平面にすることでティッシュボックスとゴミ箱を一体化させるものである。
【課題を解決するための手段】
【０００６】
本発明は上記の目的を達成するため、
ティッシュボックス３を載置する受板Ｂ２０と、上方部が開放され前記受板Ｂ２０を載置可能な突出部分７を設けたゴミ箱Ａ１０からなり、前記ゴミ箱Ａ１０は、長辺方向Ａのいずれか一方の側面６の開放側の辺に、所定の切り欠き部６ａを設けるとともに、短辺方向Ｂの両側面９の内側面に前記受板Ｂ２０を載置する各々前記突出部分７を設け、前記受板Ｂ２０は、前記ゴミ箱Ａ１０の開放面の平面積より略狭い平面積を有した受板４と前記受板４の長辺部に略垂直に側板８を設けており、前記受板Ｂ２０が前記突出部分７の一端７aを支点として前記ゴミ箱Ａ１０内部方向に回動し、前記受板４の側板が前記ゴミ箱Ａ１０の切り欠き部上部６bに当接し摺動することで所定の角度で回動を停止する、ことを特徴とするティッシュボックス受板付ゴミ箱を提供するものである。
【０００７】
本発明により、設置面積がティッシュボックスと略同平面積であるゴミ箱に、多種類のサイズのティッシュボックスを単に載せるだけでよい受板を設け、その受板を支持するゴミ箱内に設けた突出部分の端部を支点にして受板を傾斜させる簡単な構造でゴミ投入口を現すことで、少額の製作費でティッシュボックスとゴミ箱を一体化させた。
【発明の効果】
【０００８】
ゴミ箱Ａ上部に水平に載置したティッシュボックスからペーパーを取り出し、ペーパーを使用しゴミ箱Ａに廃棄する時にはティッシュボックスと共に受板Ｂの側端を軽く押して傾斜させゴミ投入口を現わし、投入後は傾斜しているティッシュボックスと共に受板Ｂを元に戻して蓋をするので衛生的であり、小さい設置面積で身体を移動することなく一体で使用できる。また簡素な形態である事から製作費用が少なくて済む。
【図面の簡単な説明】
【０００９】
【図１】本発明の実施形態を示すティッシュボックス受板付きゴミ箱の斜視図。
【図２】ティッシュボックスを載置した受板Ｂを回動、傾斜してゴミ投入が可能な状況の斜視図。
【図３】ゴミ箱Ａの斜視図。
【図４】受板Ｂの斜視図。
【図５】ゴミ箱Ａに受板Ｂを嵌め込み、突出部分に載置したときの断面略図。
【図６】受板Ｂを回動、傾斜させた場合の概念図。
【発明を実施するための形態】
【００１０】
以下、本発明を実施の形態を図１〜６図に基づいて説明する。
本発明に係るティッシュボックス受板付きゴミ箱の構成は、市販のティッシュボックス３（例：横幅約２４０ミリ、奥行き約１１６ミリ、高さ約５４ミリ）の底面積より略広くかつ箱状ゴミ箱の開放面の平面積より略狭い平面積を有してティッシュボックス３を載置する受板４等からなる受板Ｂ２０と箱状ゴミ箱で、箱状ゴミ箱の開放された上部から受板Ｂ２０を嵌め込み、短辺方向Ｂの両側面９の内面に設けた突出部分７に載置するゴミ箱Ａ１０とからなる。
【００１１】
ゴミ箱Ａ１０は、その開放面の面積が、図１に示すようにティッシュボックス３を載置した受板Ｂ２０の平面積より略広い面積を有し、高さはコンパクトにする為にティッシュボックス３の２箱分を重ねた高さ（１２０〜１５０ミリ）程度にする。ティッシュボックス３を回動し傾斜させる側のゴミ箱Ａ１０の長辺方向Ａの側面６の全長を、図３に示すように上辺から３０ミリ取り除いて切り欠き部６aを形成し、回動して傾斜させる受板Ｂ２０の側板８が切り欠き部６aの上辺６bに当接しないように若干の間隔を有して側面６の内面側に５ミリ程度が重複するように構成されている。短辺方向Ｂの両側面９の内側面には受板Ｂ２０を下から支持し水平を保ち、回動、傾斜させる機能を持たせる為にゴミ箱Ａ１０の最上部から１５ミリ下がった位置に図３に示すように長さ４０ミリ以上９０ミリ以内で幅１０ミリ程度の突出部分７を設ける。
【００１２】
受板Ｂ２０は、ティッシュボックス３の平面積よりも略広くし、回動し傾斜させるティッシュボックス３が落ちない程度の高さを有した側壁を三方向に形成する。さらに図４に示すように回動し傾斜させる側の側壁である側板８はその上下方向に少し長くし、下方向についてはゴミ箱A１０の切り欠き部６aを設けた側面６の内面側に５ミリ程度が重複するような長さを有している。受板B２０はゴミ箱A１０の内側に接して嵌め込み、ゴミ箱A１０の最上部から１５ミリ下がった位置で、短辺方向Ｂの両側面の内側面に設けた突出部分７で底面を水平に支持する。
【００１３】
ティッシュボックス３を載置した受板Ｂ２０を突出部分７の一端７aを支点としてゴミ箱Ａ１０の内部方向に回動し、側板８が切り欠き部６aの上辺６bに当接し、摺動して停止したときの傾斜は、傾斜角度が大き過ぎると重心が偏りティッシュボックス３が受板B２０から飛び出し、小さ過ぎるとゴミ箱Ａ１０の投入口５が十分確保できない。小さい力で回動し傾斜させて最適な傾斜角度にする為に、ゴミ箱A１０の短辺方向Ｂの両側面の内側面に設けた突出部分７の一端７aは、図５に示すように回動し傾斜させる側のゴミ箱Ａ１０の側面６から短辺方向Ｂに３０ミリの位置である。回動し傾斜したティッシュボックス３が動かず固定してゴミ投入口５が最大になる傾斜角度θ１３は略７０度（図６の１３）である。尚、傾斜角度を７０度より小さくする事で、ゴミ投入後に受板Ｂ２０とティッシュボックス３の自重で自然にゴミ箱Ａ１０の蓋を閉じる機能を持たせる事ができる。
【００１４】
ゴミ箱Ａ１０と受板Ｂ２０の素材はダンボール紙や板紙かプラスチックが適しているがダンボール紙や板紙を使用する場合は、内面にポリ袋を装着して使用することが望ましい。
【００１５】
本発明は、設置面積が最小で、ゴミ箱に蓋をする機能があるので衛生的であり、紙素材の場合は美観に優れているので、机上や枕元、病室等、に置いて頻繁に使う場面では特に効果を発揮するものである。また、販売促進用のグッズとして活用する事が期待できる。
【符号の説明】
【００１６】
１０  ―――  ゴミ箱Ａ
２０  ―――  受板Ｂ
３  ―――  ティッシュボックス
４  ―――  受板Ｂを構成する受板
５  ―――  ゴミ投入口
６  ―――  長辺方向Ａの側面
６ａ―――  長辺方向Ａの側面の切り欠き部
６ｂ―――  長辺方向Ａの側面の切り欠き部の上辺
７  ―――  短辺方向Ｂの両側面の内側面に設けた突出部分
７ａ―――  突出部分の一端
８  ―――  受板Ｂを構成する側板
８ａ―――  受板Ｂを構成する側板の下端
９  ―――  短辺方向Ｂの側面
Ａ  ―――  長辺方向
Ｂ  ―――  短辺方向
【図１】
2017061386.tif 000003
【図２】
2017061386.tif 000004
【図３】
2017061386.tif 000005
【図４】
2017061386.tif 000006
【図５】
2017061386.tif 000007
【図６】
2017061386.tif 000008